(57)【要約】【課題】扉を閉じ放した際にゆっくりと静かにソフトクローズする仕様となり、安全性と静音性を改善すると共に、扉の外観意匠性を良好にする。扉の所定開閉角度以上では開閉フリーにする。【解決手段】扉２の上端面にガイドレール５を設置し、基端部６ａが扉枠３に回動自在に支持された回動連結部材６の先端部６ｂに上記ガイドレール５に挿入される走行ローラー３ｃを設け、回動連結部材６の先端部６ｂにさらにトリガー軸６ｄを設け、扉枠３側に、扉２の所定開閉角度以下でトリガー軸６ｄを扉２の閉止方向Ｆに向かって引き込むための緩衝機能８を有する引き込み機構部７を設け、扉２が所定開閉角度θよりも開かれたときは上記トリガー軸６ｄが引き込み機構部７から離脱して開閉フリーとなるようにしたソフトクローズ機構４である。【選択図】図１
2009203651.tif 000002
【特許請求の範囲】
【請求項１】
扉の閉じ時の速度を低下させる開き戸のソフトクローズ機構であって、上記扉の上端面にガイドレールを設置し、基端部が扉枠に回動自在に支持された回動連結部材の先端部に上記扉のガイドレールに挿入される走行ローラーを設けると共に、回動連結部材の先端部に上記走行ローラーとは別にトリガー軸を設け、扉枠側に、扉の所定開閉角度以下で上記トリガー軸を扉の閉止方向に向かって引き込むための緩衝機能を有する引き込み機構部を設け、扉が所定開閉角度よりも開かれたときは上記トリガー軸が引き込み機構部から離脱して開閉フリーとなるように構成されていることを特徴とする開き戸のソフトクローズ機構。
【請求項２】
上記引き込み機構部は、扉枠に回動自在に支持されると共にトリガー軸の往復直線運動を回転運動に変換するための回動アームを備えると共に、回動アームの一片に扉枠の前後方向に往復移動自在であると共に回動連結部材に設けたトリガー軸に着脱可能に係合するキャッチ部材が連結され、回動アームの他片に回動アームを扉全閉位置と対応する後方回転位置に向かって付勢するための付勢手段が連結され、扉の所定開閉角度以下では回動連結部材のトリガー軸がキャッチ部材と係合して上記付勢手段により付勢されている回動アームの回転によって、キャッチ部材を介して回動連結部材が扉全閉位置に引き込まれるようにしたことを特徴とする請求項１記載の開き戸のソフトクローズ機構。
【発明の詳細な説明】
【技術分野】
【０００１】
本発明は、開き戸の扉の閉じ時の速度を低下させるソフトクローズ機構に関するものである。
【背景技術】
【０００２】
従来より、ドアを閉じる方向に付勢するドアクローザーを取り付け、ドアの開閉角度が約８０度以下では自動的に閉まる仕様の開き戸が知られている（例えば、特許文献１参照）。しかしながらこの種のドアクローザー付き開き戸では、ドアクローザーの付勢力に抗してドアを開き操作しなければならず、ドアの操作力が増加するという問題があり、しかも、ドアクローザーを構成する機構部品が外部に露出して意匠性の悪化を招くという問題や、更にはペットの出入りや通風のためにドアを開けての使用に対応し難いという問題もあった。
【０００３】
また他の従来例として、開き戸の扉枠に緩衝機能を有する引き込み機構部を設け、扉の上端面にガイドレールを取り付け、引き込み機構部とガイドレールとをリンクのような回動連結部材を介して常時連結すると共に、この回動連結部材に設けた走行ローラーをガイドレールにスライド自在に挿入し、走行ローラーをガイドレールに沿って扉の閉止方向に向かって引き込むことで扉を自動閉止するソフトクローズ機構が知られている（例えば、特許文献２参照）。
【０００４】
ところがこの特許文献２に見られる従来例では、引き込み機構部が走行ローラーをガイドレールの吊元側端部から戸先側端部にスプリングで引き寄せることで、扉を閉止させるものであるため、走行ローラーを引き寄せる方向と扉の閉止方向とが異なることで、スプリングの負担が大きくなり、結果、スプリングのばね力を大きくする必要があり、引き込み機構部の大型化を招くという問題がある。
【特許文献１】実用新案登録第２６０６４６５号公報
【特許文献２】特開２００５−３３６９８３号公報
【発明の開示】
【発明が解決しようとする課題】
【０００５】
本発明は上記の従来の問題点に鑑みて発明したものであって、扉を閉じ放った際に、扉がゆっくりと静かにソフトクローズする仕様にできると共に、扉を簡単な構造にできて軽量化による閉じ時の安全性と静音性を向上させると同時に扉の外観意匠性を良好にでき、そのうえ扉の所定開閉角度以上ではペットの出入りや通風のために扉を開けての使用が可能な開閉フリーにできる開き戸のソフトクローズ機構を提供することを課題とし、さらに引き込み機構部の小型化が容易な開き戸のソフトクローズ機構を提供することを課題とするものである。
【課題を解決するための手段】
【０００６】
前記課題を解決するために本発明は、扉２の閉じ時の速度を低下させる開き戸のソフトクローズ機構であって、上記扉２の上端面にガイドレール５を設置し、基端部６ａが扉枠３に回動自在に支持された回動連結部材６の先端部６ｂに上記扉２のガイドレール５に挿入される走行ローラー３ｃを設けると共に、回動連結部材６の先端部６ｂには上記走行ローラー３ｃとは別にトリガー軸６ｄを設け、扉枠３側に、扉２の所定開閉角度以下で上記トリガー軸６ｄを扉２の閉止方向Ｆに向かって引き込むための緩衝機能８を有する引き込み機構部７を設け、扉２が所定開閉角度θよりも開かれたときは上記トリガー軸６ｄが引き込み機構部７から離脱して開閉フリーとなるように構成されていることを特徴としている。
【０００７】
このような構成とすることで、扉枠３と扉２とを常時連結する回動連結部材６の先端部６ｂに走行ローラー３ｃとは別に設けたトリガー軸６ｄが、扉２を閉じ放った際に、扉枠３側に設けた緩衝機能８を有する引き込み機構部７により引きこまれることによって、扉２の緩やかで静かなソフトクローズが可能となる。しかも、ソフトクローズ機構４の殆どの機構部品は扉枠３側に設置され、扉２にはガイドレール５を設置するだけで済むので、扉２を簡単な構造にできて軽量化が図られ、閉じ時の衝撃防止や安全確保が図られ、安定した開閉性能が得られると同時に、使用者からはガイドレール５は見えにくいので、扉２の外観が良好となる。さらに、扉２の所定開閉角度θよりも開かれると、扉２はソフトクローズ状態から開閉フリーな状態に切り替えられるので、ペットの出入りや通風のために扉２を開けての使用にも対応できるものとなる。
【０００８】
また、上記引き込み機構部７は、扉枠３に回動自在に支持されると共にトリガー軸６ｄの往復直線運動を回転運動に変換するための回動アーム２１を備えると共に、回動アーム２１の一片２１ｂに扉枠３の前後方向Ｂ,Ｃに往復移動自在であると共に回動連結部材６に設けたトリガー軸６ｄに着脱可能に係合するキャッチ部材２０が連結され、回動アーム２１の他片２１ｄに回動アーム２１を扉全閉位置と対応する後方回転位置Ｐ２に向かって付勢するための付勢手段２２が連結され、扉２の所定開閉角度以下では回動連結部材６のトリガー軸６ｄがキャッチ部材２０と係合して上記付勢手段２２により付勢されている回動アーム２１の回転によって、キャッチ部材２０を介して回動連結部材６が扉全閉位置に引き込まれるようにするのが好ましく、この場合、回動連結部材６の引き込み力の方向をキャッチ部材２０の往復直線運動(トリガー軸６ｄの往復直線運動)から回動アーム２１の回転運動に変換できるようになり、回動アーム２１を付勢する付勢手段２２に負担がかからず、付勢手段２２を大きくする必要がなく、引き込み機構部７の小型化を図ることが容易となる。
【発明の効果】
【０００９】
本発明に係るソフトクローズ機構は、扉と扉枠とを常時連結する回動連結部材の先端部に設けたトリガー軸を引き込み機構部により引き込むことにより、扉を閉じ放った際はゆっくりと静かにソフトクローズできるものであり、また扉に設けられるガイドレールは外部から見え難いものであり、結果、扉の外観意匠性を改善しながら、扉の閉じ時の安全性と静音性とをそれぞれ確保できるものであり、さらに扉の所定開閉角度以上では開閉フリーとなるので、ペットの出入りや通風のために扉を開けての使用にも対応できるものとなる。
【００１０】
また本発明は、回動連結部材の引き込み力の方向をキャッチ部材の往復直線運動(トリガー軸の往復直線運動)から回動アームの回転運動に変換できるので、引き込み機構部の小型化を容易に図ることができる。
【発明を実施するための最良の形態】
【００１１】
以下、本発明を添付図面に示す実施形態に基いて説明する。
【００１２】
図１は本発明の一実施形態を説明するソフトクローズ機構４を示す平面図である。
【００１３】
本発明のソフトクローズ機構４は、扉２の閉じ時の速度を低下させるものであり、ガイドレール５と、回動連結部材６と、緩衝機能８を有する引き込み機構部７とで主体が構成されている。
【００１４】
扉２の上端面には、ガイドレール５が設置されている。このガイドレール５は、上方に開放された断面Ｕ字状に形成されており、扉２の上端面の戸尻側端部５ａから中央部側に亘って凹設された凹条溝９（図６）内に埋設されている。
【００１５】
上記扉２と扉枠３とは、回動連結部材６を介して常時連結されている。回動連結部材６は、平面視で四角形状をしており、扉枠３の上側枠部の下面の戸尻側（蝶番３０側）寄りの位置に回動連結部材６の基端部６ａの中央部分が回転軸６ｅを介して回転自在に支持されている。回動連結部材６の先端部６ｂの前方Ｃ寄りの下面からは走行ローラー６ｃが突設され、走行ローラー６ｃは扉２のガイドレール５内に往復走行自在に挿入されている。回動連結部材６は、扉２の開閉に伴って回転軸６ｅを中心にして扉枠３の前後方向Ｂ,Ｃに回動するようになっており、このとき走行ローラー６ｃは、ガイドレール５の扉全開位置に対応する戸尻側端部５ａから扉全閉位置に対応する戸先側端部５ｂとの間で往復移動できるようになっている。さらに回動連結部材６の先端部６ｂの後方Ｂ寄りの下面からは、後述するキャッチ部材２０のキャッチ面２０ａに着脱可能に嵌合されるトリガー軸６ｄが突設されている。
【００１６】
一方、扉枠３側には、緩衝機能８を有する引き込み機構部７が設置されている。本例では扉枠３の上側枠部の下面（以下、扉枠面３ａという）の戸尻側（蝶番３０側）寄りに引き込み機構部７が設置されている。引き込み機構部７は、扉２を閉止方向Ｆに向かって引き込むためのものであり、ガイドプレート１５、キャッチ部材２０、Ｖ字型の回動アーム２１、付勢手段２２であるスプリング２２ａ、緩衝機能８であるダンパー２３等を備えている。
【００１７】
ガイドプレート１５は、扉枠面３ａの中央部側に取り付けられ、図１、図２に示すように、扉枠３の前後方向Ｂ,Ｃに向かって第１のガイド溝１６と第２のガイド溝１８とが互いに並行して形成されている。第１のガイド溝１６の前端部は第２のガイド溝１８の前端部よりも前方Ｃに突出していると共に、その突出部分はＬ字状に屈曲したロック溝１７となっている。
【００１８】
上記ガイドプレート１５の第１のガイド溝１６に沿って、キャッチ部材２０がスライド走行自在にガイドされている。キャッチ部材２０の先端には、コ字形に開口したキャッチ面２０ａが形成されており、このキャッチ面２０ａに前記回動連結部材６の先端部６ｂ側から突設されたトリガー軸６ｄが着脱可能とされる。キャッチ部材２０の中央側には、ガイドプレート１５の第１のガイド溝１６に沿ってスライド自在な前後一対のガイド軸２０ｂ、２０ｃが突設されていると共に、前側ガイド軸２０ｂだけが上記ロック溝１７に進入可能とされる。さらにキャッチ部材２０の後端側から連結軸２０ｄが突設され、この連結軸２０ｄはガイドプレート１５の第２のガイド溝１８を貫通して、回動アーム２１の一片２１ｂに連結されている。
【００１９】
上記回動アーム２１はＶ字型に屈曲形成されており、屈曲部２１ａがガイドプレート１５の一側方の扉枠面３ａに回転自在に支持されている。ここで、「ガイドプレート１５の一側方」とは、ガイドプレート１５から見て扉枠３の蝶番３０側の方向を指すものとする。本例では、回動アーム２１の一片２１ｂに長孔２１ｃが形成され、この長孔２１ｃ内に上記キャッチ部材２０の連結軸２０ｄがスライド嵌合しており、長孔２１ｃによって、キャッチ部材２０の往復直線運動（トリガー軸６ｄの往復直線運動）が回動アーム２１の回転運動に変換されるようになっている。
【００２０】
また、上記回動アーム２１は、付勢手段２２であるスプリング２２ａによって屈曲部２１ａを支点にして後方Ｂに向かって常に付勢されている。本例では、図２に示すように、スプリング２２ａの一端２２ｂが回動アーム２１の他片２１ｄに連結され、スプリング２２ａの他端２２ｃがガイドプレート１５の一側方の扉枠面３ａに設けた支承部２２ｄに引っ掛けられており、回動アーム２１の他片２１ｄを常に引っ張る方向に付勢している。つまり、回動アーム２１は扉全開位置に対応する前方回転位置Ｐ２(図１、図２)から扉全閉位置に対応する後方回転位置Ｐ１（図３、図４）に向かって常に付勢されている。
【００２１】
さらに、上記回動アーム２１の他片２１ｄには、上記キャッチ部材２０の引き込み速度を低下させるための緩衝機能８であるダンパー２３が連結されている。図２に示すように、ダンパー２３のシリンダー部２３ｂはガイドプレート１５の一側方の扉枠面３ａに設けた軸部２３ｃに首振り自在に固定されていると共に、ダンパー２３のシリンダー部２３ｂから突出するピストンロッド２３ａが上記回動アーム２１の他片２１ｄに枢着されており、回動アーム２１の他片２１ｄを上記スプリング２２ａの付勢方向と反対方向に向かって常時付勢している。なおダンパー２３のシリンダー部２３ｂ内には、ピストンロッド２３ａの移動に抵抗力を発生させる流体（図示せず）と、該ピストンロッド２３ａを突出方向に常時姿勢に付勢するバネ（図示せず）とが設けられ、該バネの力は、上記スプリング２２ａの付勢力よりも小さく設定されており、これによりキャッチ部材２０の引き込み動作に抵抗が付与されるようになっている。
【００２２】
次に扉２の開閉動作を説明する。
【００２３】
図５、図６に示すように、扉２が所定開閉角度（例えば約１０度）よりも開かれているときは、回動連結部材６のトリガー軸６ｄが引き込み機構部７から離脱しており、一方、キャッチ部材２０の前側ガイド軸２０ｂがガイドプレート１５のロック溝１７に進入しており（図７、図８の状態）、これによりスプリング２２ａの付勢力に抗してキャッチ部材２０は前方Ｃスライド位置でロックされている。またこのロック状態では、キャッチ部材２０のキャッチ面２０ａは回動連結部材６のトリガー軸６ｄを受け入れ可能な前向き姿勢で保持されている。
【００２４】
開いた扉２を閉じると、図９、図１０に示すように回動連結部材６がその回転軸６ｅを中心に回動して、走行ローラー６ｃがガイドレール５の戸尻側端部５ａから戸先側端部５ｂに向かって移動する。そして、扉２を所定開閉角度（約１０度）まで閉じると、図１に示すように、回動連結部材６のトリガー軸６ｄがキャッチ部材２０のキャッチ面２０ａに衝突することで、キャッチ部材２０の前側ガイド軸２０ｂがロック溝１７から第１のガイド溝１６に移動することで、キャッチ部材２０のロックが解除されると同時にキャッチ部材２０が回転して回動連結部材６のトリガー軸６ｄとキャッチ部材２０とが互いに係合した状態となり、この係合状態では図３、図４に示すように、スプリング２２ａによって引っ張られているＶ字型の回動アーム２１によって、回動連結部材６とキャッチ部材２０とが一体となって第１のガイド溝１６の後方Ｂに引き込まれていく（図３の状態）。またこの引き込み時にダンパー２３のピストンロッド２３ａが縮むことによって、回動連結部材６及びキャッチ部材２０の引き込み速度が制動されて、扉２はゆっくりと静かに閉止される（図１０、図１１の状態）。即ち、扉２が手で勢い良く閉じられた際にも自動的にソフトクローズする仕様となる。
【００２５】
一方、閉じた扉２を開くと、図３→図１のように、回動連結部材６の走行ローラー６ｃが扉２のガイドレール５の戸先側端部５ｂから戸尻側端部５ａに向かって移動すると共に、キャッチ部材２０が第１のガイド溝１６に沿って前方Ｃに引っ張られる。さらに扉２が開かれると、キャッチ部材２０の前側ガイド軸２０ｂが第１のガイド溝１６からロック溝１７に係入してロックされると共に、回動連結部材６のトリガー軸６ｄがキャッチ面２０ａから離脱することによって、扉２はソフトクローズしない開閉フリーな状態、つまり、次の閉じ動作のソフトクローズを待機する状態となる。
【００２６】
しかして、上記構成によれば、扉２の開閉時に回動連結部材６の先端部６ｂに走行ローラー６ｃとは別に設けたトリガー軸６ｄが扉枠３に設けた緩衝機能８を有する引き込み機構部７により引き込まれることによって、扉２の緩やかで静かなソフトクローズが可能となる。そのうえソフトクローズ機構４の殆どの機構部品は扉枠３側に設置されていて、扉２にはガイドレール５を設置するだけで済むので、扉２を簡単な構造にできて軽量化が図られ、閉じ時の衝撃防止や安全確保が図られると同時に、使用者からはガイドレール５は見えにくいので、扉２の外観を良好にできる。結果、扉２の外観意匠性を改善しながら、扉２の軽量化による操作の容易性に加えて、安全性と静音性とをそれぞれ確保できるものとなる。また、扉２がある程度開かれると開閉フリーとなるので、ペットの出入りや通風のために扉２を開けての使用にも対応できるものとなる。
【００２７】
しかも、走行ローラー６ｃとは別に設けたトリガー軸６ｄの前後方向Ｂ,Ｃの直線運動（キャッチ部材２０の往復直線運動）をＶ字型の回動アーム２１によって回転運動に変換することによって、従来例（特許文献２）と比較して、回動アーム２１を付勢するスプリング２２ａに負担がかからず、スプリング２２ａのばね力を大きくする必要がなく、引き込み機構部７の小型化を図ることができる利点もある。
【００２８】
なお本発明のソフトクローズ機構４は、マンションや戸建て住宅などの建物における出入口に開閉自在に設けられる開き戸に限らず、例えばシステムキッチンの開き戸の分野にも広く実施可能である。
【図面の簡単な説明】
【００２９】
【図１】本発明の一実施形態のソフトクローズ機構を説明する平面図である。
【図２】同上の扉を開いた状態の引き込み機構部の斜視図である。
【図３】同上の扉を閉止した状態のソフトクローズ機構の平面図である。
【図４】同上の扉を閉止した状態の引き込み機構部の斜視図である。
【図５】同上の扉を全開した状態を後方から見た斜視図である。
【図６】同上の扉を全開した状態を前方から見た斜視図である。
【図７】同上の扉を全開したときの引き込み機構部の状態を説明する一部破断した平面図である。
【図８】同上の扉を全開したときの平面図である。
【図９】同上の扉を半開きにした状態を後方から見た斜視図である。
【図１０】同上の扉を半開きにした状態を前方から見た斜視図である。
【図１１】同上の扉の全閉状態を後方から見た斜視図である。
【図１２】同上の扉の全閉状態を前方から見た斜視図である。
【符号の説明】
【００３０】
１  開き戸
２  扉
３  扉枠
４  ソフトクローズ機構
５  ガイドレール
６  回動連結部材
６ａ  基端部
６ｂ  先端部
６ｃ  走行ローラー
６ｄ  トリガー軸
７  引き込み機構部
８  緩衝機能
２０  キャッチ部材
２１  回動アーム
２１ｂ  一片
２１ｄ  他片
２２  付勢手段
Ａ  扉の長さ方向
Ｂ  前方
Ｃ  後方
Ｆ  扉の閉止方向
Ｐ２  前方回転位置
Ｐ１  後方回転位置
【図１】
2009203651.tif 000003
【図２】
2009203651.tif 000004
【図３】
2009203651.tif 000005
【図４】
2009203651.tif 000006
【図５】
2009203651.tif 000007
【図６】
2009203651.tif 000008
【図７】
2009203651.tif 000009
【図８】
2009203651.tif 000010
【図９】
2009203651.tif 000011
【図１０】
2009203651.tif 000012
【図１１】
2009203651.tif 000013
【図１２】
2009203651.tif 000014